(57)【特許請求の範囲】
【請求項１】
前身頃、後身頃、右袖部及び左袖部を有する衣服本体より伸縮しない素材で形成され
た帯状体を、前記衣服本体の前記前身頃の首回りから前記前身頃の裾部下縁に向けて、貼
着する帯状体貼着工程と、
この帯状体貼着工程の後、前記衣服本体に貼着した前記帯状体を切断して、前記前身
頃を着用者から見て左側となる左前身頃帯状体と前記着用者から見て右側となる右前身頃
帯状体とに分離する分離工程と、
この分離工程の後、前記右前身頃帯状体を覆って前記右前身頃の上に右前身頃帯状覆
い体を縫製により取り付ける右前身頃帯状覆い体工程とを有する
ことを特徴とする前開き衣服の右前身頃帯状覆い体の取付方法。
【請求項２】
前身頃、後身頃、右袖部及び左袖部を有する衣服本体より伸縮しない素材で形成され
た帯状体を、前記衣服本体の前記前身頃の首回りから前記前身頃の裾部下縁に向けて、貼
着する帯状体貼着工程と、
この帯状体貼着工程の後、前記衣服本体に貼着した前記帯状体を切断して、前記前身
頃を着用者から見て左側となる左前身頃帯状体と前記着用者から見て右側となる右前身頃
帯状体とに分離する分離工程と、
この分離工程の後、前記左前身頃帯状体を覆って前記左前身頃の上に左前身頃帯状覆
い体を縫製により取り付ける左前身頃帯状覆い体工程とを有する
ことを特徴とする前開き衣服の左前身頃帯状覆い体の取付方法。
【発明の詳細な説明】
【技術分野】
【０００１】
本発明は、前開き衣服の左前身頃帯状覆い体の取付方法及び前開き衣服の右前身頃帯状覆い体の取付方法に係り、特に、帯状体を取り付ける際に生じる変形の防止を図った前開き衣服の左前身頃帯状覆い体の取付方法及び前開き衣服の右前身頃帯状覆い体の取付方法に関する。
【背景技術】
【０００２】
従来、伸縮な素材で形成されたかぶりタイプの衣服（例えば、肌着）がある。このかぶりタイプの衣服を汗をかいた状態で脱ぐとき、衣服が肌に付着し、特に、高齢者にあっては、脱げにくいという問題点があった。
【発明の概要】
【発明が解決しようとする課題】
【０００３】
しかしながら、この問題点を除去するために、前開き衣服を作ろうとすると、ボタン
を取り付ける係止側帯状部材、ボタンが係止される被係止側帯状部材を伸縮な素材で形成
された衣服にミシン等の縫製によりつけると、係止側帯状部材が取り付けられる衣服本体
の長手寸法と被係止側帯状部材が取り付けられる衣服本体の長手寸法とが一致せず、不揃
いになるという問題点が生じた。
【０００４】
本発明は、上記実情を考慮してなされた前開き衣服の左前身頃帯状覆い体の取付方法及び前開き衣服の右前身頃帯状覆い体の取付方法を提供することを目的とする。
【課題を解決するための手段】
【０００７】
請求項１記載の前開き衣服の右前身頃帯状覆い体の取付方法は、前身頃、後身頃、右袖部及び左袖部を有する衣服本体より伸縮しない素材で形成された帯状体を、前記衣服本体の前記前身頃の首回りから前記前身頃の裾部下縁に向けて、貼着する帯状体貼着工程と、この帯状体貼着工程の後、前記衣服本体に貼着した前記帯状体を切断して、前記前身頃を着用者から見て左側となる左前身頃帯状体と前記着用者から見て右側となる右前身頃帯状体とに分離する分離工程と、この分離工程の後、前記右前身頃帯状体を覆って前記右前身頃の上に右前身頃帯状覆い体を縫製により取り付ける右前身頃帯状覆い体工程とを有するものである。
【０００８】
また、請求項２記載の前開き衣服の左前身頃帯状覆い体の取付方法は、前身頃、後身
頃、右袖部及び左袖部を有する衣服本体より伸縮しない素材で形成された帯状体を、前記
衣服本体の前記前身頃の首回りから前記前身頃の裾部下縁に向けて、貼着する帯状体貼着
工程と、この帯状体貼着工程の後、前記衣服本体に貼着した前記帯状体を切断して、前記
前身頃を着用者から見て左側となる左前身頃帯状体と前記着用者から見て右側となる右前
身頃帯状体とに分離する分離工程と、この分離工程の後、前記左前身頃帯状体を覆って前
記左前身頃の上に左前身頃帯状覆い体を縫製により取り付ける左前身頃帯状覆い体工程と
を有するものである。
【発明の効果】
【００１０】
請求項１記載の前開き衣服の右前身頃帯状覆い体の取付方法によれば、前身頃、後身頃、右袖部及び左袖部を有する衣服本体より伸縮しない素材で形成された帯状体を、前記衣服本体の前記前身頃の首回りから前記前身頃の裾部下縁に向けて、貼着する帯状体貼着工程と、この帯状体貼着工程の後、前記衣服本体に貼着した前記帯状体を切断して、前記前身頃を着用者から見て左側となる左前身頃帯状体と前記着用者から見て右側となる右前身頃帯状体とに分離する分離工程と、により、左前身頃帯状体、右前身頃帯状体を容易に設けることができ、しかも、伸縮する衣服本体を前身頃で２分割した場合、切断部位は、左前身頃帯状体、右前身頃帯状体により、伸縮が拘束されて略同じ寸法に保持され、右前身頃帯状体を覆って右前身頃の上に右前身頃帯状覆い体を縫製する際、衣服本体の伸縮が右前身頃帯状体により規制され、右前身頃帯状覆い体を所定寸法に維持することができる。
【００１１】
また、請求項２記載の前開き衣服の左前身頃帯状覆い体の取付方法によれば、前身頃
、後身頃、右袖部及び左袖部を有する衣服本体より伸縮しない素材で形成された帯状体を
、前記衣服本体の前記前身頃の首回りから前記前身頃の裾部下縁に向けて、貼着する帯状
体貼着工程と、この帯状体貼着工程の後、前記衣服本体に貼着した前記帯状体を切断して
、前記前身頃を着用者から見て左側となる左前身頃帯状体と前記着用者から見て右側とな
る右前身頃帯状体とに分離する分離工程と、により、左前身頃帯状体、右前身頃帯状体を
容易に設けることができ、しかも、伸縮する衣服本体を前身頃で２分割した場合、切断部
位は、左前身頃帯状体、右前身頃帯状体により、伸縮が拘束されて略同じ寸法に保持され
、左前身頃帯状体を覆って左前身頃の上に左前身頃帯状覆い体を縫製する際、衣服本体の
伸縮が左前身頃帯状体により規制され、左前身頃帯状覆い体を所定寸法に維持することが
できる。
【図面の簡単な説明】
【００１２】
【図１】図１は、本発明の一実施例の取付方法によって作られた前開き衣服（例えば、前開き肌着）の概略的正面図である。
【図２】図２は、図１の前開き衣服の製造過程を示すもので、衣服の前身頃の首回りから前記前身頃の裾部下縁に向けて帯状体を貼着した状態を示す概略的斜視図である。
【図３】図３は、図２の貼着した帯状体を衣服の前身頃の首回りから前記前身頃の裾部下縁に向けて切断された状態を示す概略的一部斜視図である。
【図４】図４は、図３の右前身頃帯状体を覆って縫製により右前身頃帯状覆い体が取り付けられた状態を示す概略的正面図である。
【図５】図５は、図４の被係止部材が設けられた左前身頃帯状体が左前身に取り付かれる状態を、右前身頃帯状体に係止部材が取り付かれた状態をそれぞれ示す概略的一部斜視図である。
【図６】図６は、図５の係止部材が被係止部材に係止した状態を示す概略的一部斜視図である。
【発明を実施するための形態】
【００１３】
本発明の一実施例の前開き衣服の左前身頃帯状覆い体の取付方法及び前開き衣服の右前身頃帯状覆い体の取付方法を図１乃至図６を参照して説明する。
図１において、Ｔは前開き衣服（例えば、前開き肌着、前開きティシャツ等の前開き衣服であるが、本実施例においては、前開き肌着を一例として示す。）で、前開き衣服Ｔは、伸縮する部材（例えば、メリヤス地）で形成され、前開きの衣服本体１を有している。
衣服本体１は、後身頃１０と、この後身頃１０に接続され、着用者から見て左側とな
る左前身頃１１と、後身頃１０に接続され、着用者から見て右側となる右前身頃１２とを
有している。
【００１４】
また、図３に示すように、左前身頃１１と右前身頃１２とが対向する部位の一方は、
左前身頃ストレート部１１Ａで、左前身頃１１と右前身頃１２とが対向する部位の他方は
、右前身頃ストレート部１２Ａである。
図３に示す１３’は右前身頃帯状体で、右前身頃帯状体１３’が右前身頃ストレート
部１２Ａに平行になるように、右前身頃１２の上に貼着して取り付けられている。
右前身頃帯状体１３’は、衣服本体１より伸縮しない、例えば、裏面に粘着層を有す
る紙テープで形成されている。
また、図３に示す１３”は左前身頃帯状体で、左前身頃帯状体１３”が左前身頃スト
レート部１１Ａに平行になるように、左前身頃１１の上に貼着して取り付けられている。
左前身頃帯状体１３”は、衣服本体１より伸縮しない、例えば、裏面に粘着層を有す
る紙テープで形成されている。
【００１５】
また、図４及び図５に示す１５は右前身頃帯状覆い体で、右前身頃帯状覆い体１５は
右前身頃帯状体１３’を覆って右前身頃１２の上に縫製（例えば、ミシン）により取り付
けられている。そして、右前身頃帯状覆い体１５（又は、左前身頃帯状覆い体）に係止部
材、例えば、ボタン１６が取り付けられている。
また、図５に示す１７は左前身頃帯状覆い体で、左前身頃帯状覆い体１７は、左前身
頃帯状体１３”を覆って左前身頃１１の上に縫製（例えば、ミシン）により取り付けられ
ている。そして、左前身頃帯状覆い体１７（又は、右前身頃帯状覆い体１５）に係止部材
１６に係止される被係止部材、例えば、ボタンホール１８（又は、ループ）が備えられて
いる。
【００１６】
従って、上述した前開き衣服Ｔによれば、衣服本体１より伸縮しない素材で形成され
、左前身頃ストレート部１１Ａに平行な左前身頃帯状体１３”が左前身頃１１の上に貼着
して取り付けられ、この左前身頃帯状体１３”を覆って左前身頃１１の上に左前身頃帯状
覆い体１７を縫製する際、衣服本体１の伸縮が左前身頃帯状体１３”により規制され、ま
た、衣服本体１より伸縮しない素材で形成され、右前身頃ストレート部１２Ａに平行な右
前身頃帯状体１３’が右前身頃１２の上に貼着して取り付けられ、この右前身頃帯状体１
３’を覆って右前身頃１２の上に右前身頃帯状覆い体１５を縫製する際、衣服本体１の伸
縮が右前身頃帯状体１３’により規制され、左前身頃ストレート部１２Ａの長手寸法と右
前身頃ストレート部１１Ａの長手寸法とに差異が生じるのを防ぐことができる。
【００１７】
上述した実施例においては、係止部材１６をボタン、被係止部材１８をボタンホール
（又は、ループ）としたが、本願発明にあっては、これに限らず、例えば、係止部材１６
を雄鉤ホック、被係止部材１８を雄鉤ホックに係止される雌鉤ホックとしても良く、又、
係止部材１６を第１の面状ファスナー、被係止部材１８を第１の面状ファスナーに係止さ
れる第２の面状ファスナーとしても良い。
【００１８】
なお、左前身頃ストレート部１１Ａと右前身頃ストレート部１２Ａは、次のようにし
て形成される。
即ち、前身頃（１１、１２）、後身頃１０、右袖部Ｒ及び左袖部Ｌを有する衣服本体
（かぶりタイプの衣服）１より伸縮しない素材で形成された帯状体１３を、衣服本体１の
前身頃（１１、１２）の首回りから前身頃（１１、１２）の裾部下縁に向けて、貼着する
（帯状体貼着工程  図２参照）。
この帯状体貼着工程の後、衣服本体１に貼着した帯状体１３を切断して、前身頃（１
１、１２）を着用者から見て左側となる左前身頃帯状体１３”と着用者から見て右側とな
る右前身頃帯状体１３’とに分離する（分離工程  図３参照）。
この分離工程の後、右前身頃帯状体１３’を覆って右前身頃１２の上に右前身頃帯状
覆い体１５を縫製により取り付けて（右前身頃帯状覆い体工程  図４参照）、前開き衣服
１に右前身頃帯状覆い体１５を取り付けることができる。
【００１９】
従って、上述した前開き衣服の右前身頃帯状覆い体の取付方法によれば、前身頃（１
１、１２）、後身頃１０、右袖部Ｒ及び左袖部Ｌを有する衣服本体１より伸縮しない素材
で形成された帯状体１３を、衣服本体１の前身頃（１１、１２）の首回りから前身頃（１
１、１２）の裾部下縁に向けて、貼着する帯状体貼着工程と、この帯状体貼着工程の後、
衣服本体１に貼着した帯状体１３を切断して、前身頃（１１、１２）を着用者から見て左
側となる左前身頃帯状体１３”と着用者から見て右側となる右前身頃帯状体１３’とに分
離する分離工程と、により、左前身頃帯状体１３”、右前身頃帯状体１３’を容易に設け
ることができ、しかも、伸縮する衣服本体１を前身頃（１１、１２）で２分割した場合、
切断部位は、左前身頃帯状体１３”、右前身頃帯状体１３’により、伸縮が拘束されて略
同じ寸法に保持され、右前身頃帯状体１３”を覆って右前身頃１２の上に右前身頃帯状覆
い体１５を縫製する際、衣服本体１の伸縮が右前身頃帯状体１３’により規制され、右前
身頃帯状覆い体１５を所定寸法に維持することができる。
【００２０】
また、上述の分離工程の後、左前身頃帯状体１３”を覆って左前身頃１１の上に左前
身頃帯状覆い体１７を縫製により取り付けて（左前身頃帯状覆い体工程  図５参照）、前
開き衣服１に左前身頃帯状覆い体１７を取り付けることができる。
従って、上述した前開き衣服の左前身頃帯状覆い体の取付方法によれば、前身頃（１
１、１２）、後身頃１０、右袖部Ｒ及び左袖部Ｌを有する衣服本体１より伸縮しない素材
で形成された帯状体１３を、衣服本体１の前身頃（１１、１２）の首回りから前身頃（１
１、１２）の裾部下縁に向けて、貼着する帯状体貼着工程と、この帯状体貼着工程の後、
衣服本体１に貼着した帯状体１３を切断して、前身頃（１１、１２）を着用者から見て左
側となる左前身頃帯状体１３”と着用者から見て右側となる右前身頃帯状体１３’とに分
離する分離工程と、により、左前身頃帯状体１３”、右前身頃帯状体１３’を容易に設け
ることができ、しかも、伸縮する衣服本体１を前身頃（１１、１２）で２分割した場合、
切断部位は、左前身頃帯状体１３”、右前身頃帯状体１３’により、伸縮が拘束されて略
同じ寸法に保持され、左前身頃帯状体１３”を覆って左前身頃１１の上に左前身頃帯状覆
い体１７を縫製する際、衣服本体１の伸縮が左前身頃帯状体１３”により規制され、左前
身頃帯状覆い体１７を所定寸法に維持することができる。
【符号の説明】
【００２１】
Ｔ      前開き衣服（例えば、前開き肌着）
１      衣服本体
１１    左前身頃
１１Ａ  左前身頃ストレート部
１２    右前身頃
１２Ａ  右前身頃ストレート部
１３’  右前身頃帯状体
１３”  左前身頃帯状体
１５    右前身頃帯状覆い体
１６    係止部材
１７    左前身頃帯状覆い体
１８    被係止部材
【図１】
0006517769.tif 000002
【図２】
0006517769.tif 000003
【図３】
0006517769.tif 000004
【図４】
0006517769.tif 000005
【図５】
0006517769.tif 000006
【図６】
0006517769.tif 000007